(57)【要約】【課題】入浴の際に介護対象者を両サイドから介助がなし得る浴室を有する住宅構造を提供する。【解決手段】浴室１の壁１０の背後に浴室１の壁１０が撤去された際に浴室空間と一体化される浴室転換スペース２を備えてなる住宅構造Ｋであって、前記浴室転換スペース２は、浴室１の床３に転換されて前記床３と一体化されるスペース床４を備えてなるものとされる。前記スペース床４は、例えば浴室１の床下５に進退自在とされて収納される。【選択図】図１
2014181503.tif 000002
【特許請求の範囲】
【請求項１】
浴室を有する住宅構造であって、浴室の壁の背後に浴室の壁が撤去された際に浴室空間と一体化される浴室転換スペースを備えてなることを特徴とする住宅構造。
【請求項２】
浴室転換スペースが、浴室の床に転換されて前記床と一体化される転換床を備えてなることを特徴とする請求項１記載の住宅構造。
【請求項３】
転換床が浴室の下方に進退自在とされて収納されてなることを特徴とする請求項２記載の住宅。
【請求項４】
転換床が浴室の外周に跳ね上げ自在とされて収納されてなることを特徴とする請求項２記載の住宅。
【請求項５】
浴室の壁が壁面分割体とされ、前記壁面分割体が同壁面分割体の一方の袖部に配設された壁面分割体収納部に収納されることにより浴室の壁が撤去されることを特徴とする請求項１記載の住宅構造。
【請求項６】
浴室の壁が上方に跳ね上げ自在とされてなることを特徴とする請求項１記載の住宅構造。
【発明の詳細な説明】
【技術分野】
【０００１】
本発明は住宅構造に関する。さらに詳しくは、浴室の壁が可動とされて両サイドから入浴介助がなし得る浴室を有する住宅構造に関する。
【背景技術】
【０００２】
急速な高齢化社会の到来により介護施設が不足し、そのために高齢者の在宅介護や在宅介助が増加しつつある。
【０００３】
介護や介助を必要とする高齢者(以下、介護対象者という)の健康を維持するためには、定期的な入浴が必要となる。しかしながら、現状の一般住宅における浴室１００は、健常者の入浴を前提としているため、介護対象者を入浴させる場合、介護者や介助者(以下、介護者で代表する)に多大の負担を強いることになる。
【０００４】
すなわち、現状における一般住宅の浴室１００は、図７に示すように、浴槽の三方が壁面に囲まれた浴室ユニットとされているため、介護者は両サイドから介護対象者を保持することができないため、介護者に無理な姿勢を強いることになる。そのため、介護者に腰痛などの障害を生じさせる要因となっている。
【０００５】
かかる介護対象者の入浴を助勢するため、図８に示すように、介護対象者を吊る吊り具ｊを備えた浴室１００も提案されている。しかしながら、介護対象者以外の家族の入浴の際には、吊り具ｊは邪魔となるばかりでなく、介護を意識させるため、せっかくの入浴にもかかわらずリフレッシュができない。
【０００６】
かかる従来の浴室１００の問題を解決すべく、特許文献１には、洗い場部と洗い場部より低い浴槽装置部とを有する床パンと、浴槽装置部に載置された浴槽支持台に載置された浴槽とを備え、床パンの浴槽載置部の上方かつ洗い場部から見て浴槽の側方に、介護者が立てる広さの介護スペースが設けられた浴槽ユニットが提案されている。
【０００７】
しかしながら、特許文献１の提案によっても両サイドから介助できないという問題は依然として存在する。
【先行技術文献】
【特許文献】
【０００８】
【特許文献１】特許第３３４８５９５号公報
【発明の開示】
【発明が解決しようとする課題】
【０００９】
本発明はかかる従来技術の課題に鑑みなされたものであって、入浴の際に介護対象者を両サイドから介助がなし得る浴室を有する住宅構造を提供することを目的としている。
【課題を解決するための手段】
【００１０】
本発明の住宅構造は、浴室を有する住宅構造であって、浴室の壁の背後に浴室の壁が撤去された際に浴室空間と一体化される浴室転換スペースを備えてなることを特徴とする。
【００１１】
本発明の住宅構造においては、浴室転換スペースが、浴室の床に転換されて前記床と一体化される転換床を備えてなるのが好ましい。その場合、転換床が浴室の下方に進退自在とされて収納されてなるものとされたり、転換床が浴室の外周に跳ね上げ自在とされて収納されてなるものとされるのがさらに好ましい。
【００１２】
また、本発明の住宅構造においては、浴室の壁が壁面分割体とされ、前記壁面分割体が同壁面分割体の一方の袖部に配設された壁面分割体収納部に収納されることにより浴室の壁が撤去されるものとされたり、浴室の壁が上方に跳ね上げ自在とされてなるのが好ましい。
【発明の効果】
【００１３】
本発明の前記の如く構成されているので、浴室の壁を撤去して介護対象者を複数の介護者で両サイドから介助しながら入浴させることができ、各介護者の負担が軽減されるという優れた効果を奏する。
【図面の簡単な説明】
【００１４】
【図１】本発明の実施形態１に係る住宅構造の要部平面図である。
【図２】同実施形態における壁の要部平面図である。
【図３】同要部平面図であって、浴室の壁を撤去して収納部に収納した状態を示す。
【図４】本発明の実施形態２に係る住宅構造の要部立面図である。
【図５】本発明の実施形態３に係る住宅構造の要部立面図である。
【図６】本発明の実施形態４に係る住宅構造の要部立面図である。
【図７】従来の浴室の図１相当図である。
【図８】吊り具を備えた浴室の概略図である。
【発明を実施するための形態】
【００１５】
以下、添付図面を参照しながら本発明を実施形態に基づいて説明するが、本発明はかかる実施形態のみに限定されるものではない。
【００１６】
実施形態１
図１に、本発明の実施形態１に係る住宅構造Ｋの要部平面図を示す。なお、図示例においては、浴室１の一方の側面および背面は庭に面し、他方の側面は室内に面しているものとされる。
【００１７】
住宅構造Ｋは、図１に示すように、浴室１の背面の背後および一方の側面の背後に浴室１に転換できる浴室転換スペース２が設けられるとともに、浴室転換スペース２が浴室空間と一体化可能とされるようにされてなるものとされる。
【００１８】
浴室転換スペース２は、浴室１の床(洗い場)３と一体化される床(転換床)４を備えてなるものとされ、通常時は浴室１の壁１０により仕切られており、浴室転換時に壁１０が撤去されて浴室空間と一体化される。
【００１９】
浴室空間と浴室転換スペース２とを仕切っている壁１０は、図２および図３に示すように、壁面分割体１１とされて浴室１の壁の袖に設けられた壁面分割体収納部２０に収納可能とされてなるものとされる。
【００２０】
このように、本実施形態では必要に応じて浴室空間と浴室転換スペース２とを一体化できるようにされているので、介護などにおいて広いスペースが必要な場合に、壁１０を撤去して浴室１を広くできる。そのため、複数人による両サイドからの入浴介助ができるようになり、介護対象者を吊る吊り具を不要とすることも可能となる。
【００２１】
また、浴室転換スペース２が庭に面しているので、浴室転換スペース２を仕切っている壁１０を撤去すると浴室１が庭に面するようになるので、露天風呂の雰囲気を楽しむことができる。
【００２２】
実施形態２
図４に、本発明の実施形態２に係る住宅構造Ｋの要部立面図を示す。
【００２３】
実施形態２は実施形態１を改変してなるものであって、浴室転換スペース２の床(以下、スペース床という)４を浴室１の床下５に収納可能とされてなるものとされる。なお、前記説明から明らかなように、本実施形態では、スペース床４が転換床４とされる。
【００２４】
すなわち、図４に示すように、浴室１の下方にスペース床収納部６を設けスペース床４が引き出し可能とされてなるものとされる。なお、使用時にスペース床４が支持部材により適宜支持されてもよい。図中、符号７は基礎を示す。
【００２５】
このように、本実施形態では、スペース床４は通常時は浴室１の床下５に収納されているので、浴室転換スペース２を設けることによる不都合は生じない。
【００２６】
実施形態３
図５に、本発明の実施形態３に係る住宅構造Ｋの要部立面図を示す。
実施形態３は実施形態１を改変してなるものであって、浴室転換スペース２の床(以下、スペース床という)４を浴室１の外側に跳ね上げ式にて配設されてなるものとされる。なお、前記説明から明らかなように、本実施形態では、スペース床４が転換床４とされる。
【００２７】
すなわち、図５に示すように、浴室１の外側にスペース床４を基礎７に平行に折りたたんだ状態で配設し、利用時にスペース床４を跳ね上げるものとされる。なお、使用時にスペース床４が支持部材により適宜支持されてもよい。
【００２８】
このように、本実施形態では、スペース床４は通常時は折りたたんだ状態で浴室１の外方に配設されているので、浴室転換スペース２を設けることによる不都合は生じない。
【００２９】
実施形態４
図６に、本発明の実施形態４に係る住宅構造Ｋの要部立面図を示す。
実施形態３は実施形態１を改変してなるものであって、浴室１の壁１０を上方に跳ね上げるようにしてなるものとされる。
【００３０】
すなわち、図６に示すように、壁１０の上端を回動自在に支持するともに、下端をプッシャー８により押し上げることにより、浴室１の壁１０を上方に跳ね上げるようにしてなるものとされる。
【００３１】
このように、本実施形態では浴室１の壁１０をプッシャー８により押し上げることにより浴室１の空間と浴室転換スペース２とを一体化するようにしているので、それら一体化が迅速になし得る。また、壁１０の撤去をプッシャー８によりなすようにしているので、壁１０の撤去の省力化が図られる。
【００３２】
以上、本発明を実施形態に基づいて説明してきたが、本発明はかかる実施形態のみに限定されるものではなく、種々改変が可能である。
【００３３】
例えば、冬季における浴室空間と浴室転換スペース２を一体化させた場合におけるヒートショックを防止するため、浴室転換スペース２の外縁をエアーカーテンにより仕切るようにされてもよい。
【産業上の利用可能性】
【００３４】
本発明は住宅産業に適用できる。
【符号の説明】
【００３５】
Ｋ      住宅構造
１      浴室
２      浴室転換スペース
３      床、洗い場
４      床、転換床、スペース床
５      床下
６      スペース床収納部
７      基礎
８      プッシャー
１０      壁
１１      壁面分割体
２０      壁面分割体収納部
【図１】
2014181503.tif 000003
【図２】
2014181503.tif 000004
【図３】
2014181503.tif 000005
【図４】
2014181503.tif 000006
【図５】
2014181503.tif 000007
【図６】
2014181503.tif 000008
【図７】
2014181503.tif 000009
【図８】
2014181503.tif 000010